(57)【要約】      （修正有）【課題】温熱放射線浴の環境下における正負のイオンバランスを整えてマイナスイオン効果を高めとともに、指圧作用を備える温熱放射線浴用陶板を提供すること、及び温熱放射線浴用陶板を着脱自在に設置できるようにする設置ケースを提供する。【解決手段】温熱放射線浴用陶板１００をセラミック原料に炭粉末を混練し、焼成して板状に形成する。また、温熱放射線浴用陶板１００の平面に複数の突起部１２０を設ける。【選択図】図２
0003120715.tif 000002
【実用新案登録請求の範囲】
【請求項１】
セラミック原料に炭粉末を混練し、焼成して板状に成形したことを特徴とする温熱放射線浴用陶板。
【請求項２】
平面に複数の突起部が設けられていることを特徴とする請求項１記載の温熱放射線浴用陶板。
【請求項３】
複数の突起部が、その突出高さに高低差を設けて形成されていることを特徴とする請求項２記載の温熱放射線浴用陶板。
【請求項４】
セラミック原料中には、ラジウムと、ゲルマニウムと、ジルコニウムとが含まれることを特徴とする請求項１から３のいずれかに記載の温熱放射線浴用陶板。
【請求項５】
炭粉末が、炭化率９０％以上、比表面積１７００ｃｍ2／ｇ以上の椰子殻活性炭粒子からなることを特徴とする請求項１から４のいずれかに記載の温熱放射線浴用陶板。
【請求項６】
底面部と、該底面部の周縁より垂設される周壁部とからなる収容部が形成され、該収容部には、温熱放射線浴用陶板が着脱自在に収容されることを特徴とする温熱放射線浴用陶板の設置ケース。
【考案の詳細な説明】
【技術分野】
【０００１】
本考案は、床面等に敷設されて身体を直接又は間接的に接触させることにより、身体に対してマイナスイオンや遠赤外線等の有益な放射線を放射する温熱放射線浴用陶板に関するものである。
【背景技術】
【０００２】
従来より「マイナスイオン」と呼ばれる負電荷を帯びたイオンが人体に対して新陳代謝の促進、疲労回復等の様々な生理活性作用効果を奏することが知られている。このマイナスイオンを放射するマイナスイオン放射体としては、主にトルマリンやジリコニウム等の天然鉱石類がある。近年、このマイナスイオン効果に着目して、マイナスイオン放射体を利用した様々な健康療法が提案されており、その一つとして温熱放射線浴がある。温熱放射線浴とは、図１３に示されているように、天然鉱石からなる石板などのマイナスイオン放射体を床面や寝台面に敷設して加温し、この上に身体を横たえてマイナスイオン放射体から放射されるマイナスイオンや遠赤外線、その他の有用微量放射線を身体に浴びるというものである。このような温熱放射線浴に用いられるマイナスイオン放射体としては、例えば、天然鉱石を切り出して板状とし、複数の孔を設けたもの（例えば、特許文献１参照）や、天然鉱石の粉末をモルタル材に混練し板状に成形したもの（例えば、特許文献２参照）等が提案されている。
【０００３】
また、人体にとっては空気中にマイナスイオンが豊富に含まれる環境が好ましく、特に、プラスイオンとマイナスイオンとが空気中に等量で存在し、正負の電荷のバランスのとれた環境が人体に好ましいといわれている。しかしながら、通常の生活環境下においては、静電気や大気の汚染等の原因によりプラスイオン量がマイナスイオン量よりも過剰に存在する正負のイオンバランスの崩れた状態となっている。これは温熱放射線浴が行われる環境下においても同様であり、プラスイオン量がマイナスイオン放射体から放射されるマイナスイオン量を上回る量で存在したイオンバランスの崩れた環境で行われている。このため、温熱放射線浴においてマイナスイオン効果が十分に得られる環境を作り出すには至っていなかった。
【０００４】
一方、温熱放射線浴に用いられる石板等のマイナスイオン放射体は、通常、床面や寝台面に埋設固定されており、取り外しを行うことができない。このため、施設の改装や移設を行う際には、埋設固定されている石板等を廃棄せざるを得ず、新しいものを別途用意しなければならなかった。
【０００５】
【特許文献１】特開２００５−３０５０７０号公報
【特許文献２】特開２００５−１３９０５９号公報
【考案の開示】
【考案が解決しようとする課題】
【０００６】
本考案は、上述した問題を鑑みてなされたものであって、温熱放射線浴の環境下における正負のイオンバランスを整えてマイナスイオン効果を高めることができる温熱放射線浴用陶板を提供すること、及び温熱放射線浴用陶板を着脱自在に設置できるようにする設置ケースを提供することを課題とするものである。
【課題を解決するための手段】
【０００７】
上記課題を解決するために請求項１に記載した考案が採った手段は、セラミック原料に炭粉末を混練し、焼成し、板状に成形したことを特徴とする温熱放射線浴用陶板１００、である。この温熱放射線浴用陶板１００は、マイナスイオンを放射するセラミックと、プラスイオンを吸着する炭粉末とを組み合わせることによって、空気中のマイナスイオン量とプラスイオン量のバランスを整えて、温熱放射線浴に適した環境を提供できるようにしたものである。
【０００８】
また、請求項２に記載した考案が採った手段は、平面に複数の突起部１２０が設けられていることを特徴とする請求項１記載の温熱放射線浴用陶板１００、である。この温熱放射線浴用陶板１００は、身体が接触する平面に複数の突起部１２０により、身体を温熱放射線浴用陶板１００の上に横たえたときに、身体の自重により突起部１２０で身体を押圧できるようにしたものである。
【０００９】
また、請求項３に記載した考案が採った手段は、複数の突起部１２０が、その突出高さに高低差を設けて形成されていることを特徴とする請求項２記載の温熱放射線浴用陶板１００、である。この温熱放射線浴用陶板１００は、複数の突起部１２０の突出高さに高低差を設けることによって、身体にかかる押圧力に強弱を持たせたものである。すなわち、突出高さが高く形成された突起部１２０ａでは身体を強く押圧でき、逆に、突出高さが低く形成された突起部１２０ｂでは身体を弱く押圧できるようになる。
【００１０】
また、請求項４に記載した考案が採った手段は、セラミック原料中には、ラジウムと、ゲルマニウムと、ジルコニウムとが含まれることを特徴とする請求項１から３のいずれかに記載の温熱放射線浴用陶板１００、である。マイナスイオン放射性能に優れるラジウムとゲルマニウムとジルコニウムをセラミック原料中に含有させることによって、より強力なマイナスイオン放射性能を備える温熱放射線浴用陶板１００を提供することが可能となる。
【００１１】
また、請求項５に記載した考案が採った手段は、炭粉末が、炭化率９０％以上、比表面積１７００ｃｍ2／ｇ以上の椰子殻活性炭粉末からなることを特徴とする請求項１から４のいずれかに記載の温熱放射線浴用陶板１００、である。炭粉末に椰子殻活性炭粉末を採用することで、プラスイオン吸着作用と遠赤外線作用とをより向上させることができる。
【００１２】
また、請求項６に記載した考案が採った手段は、底面部２１０と、底面部２１０の周縁より垂設される周壁部２２０とからなる収容部２３０が形成され、収容部２３０には、温熱放射線浴用陶板１００が着脱自在に収容されることを特徴とする温熱放射線浴用陶板の設置ケース２００、である。この温熱放射線浴用陶板の設置ケース２００は、温熱放射線浴用陶板１００を着脱自在に設置できるようにするものである。すなわち、温熱放射線浴用陶板の設置ケース２００を、床面や寝台面等の設置場所に予め埋設して固定しておき、この埋設された設置ケースに温熱放射線浴用陶板１００を収容することで、温熱放射線浴用陶板１００を着脱自在に設置できるようにするものである。
【考案の効果】
【００１３】
請求項１に記載した温熱放射線浴用陶板によれば、セラミック原料と炭粉末とを混練し、焼成したことにより、マイナスイオンが放射されると同時に、炭粉末により空気中に存在するプラスイオンが吸着されて、温熱放射線浴の環境下における正負のイオンバランスを整えることができるので、マイナスイオン効果をより向上させることができるとともに、遠赤外線効果も同時に高めることができる。
【００１４】
請求項２に記載した温熱放射線浴用陶板によれば、請求項１に記載した温熱放射線浴用陶板の効果に加えて、平面に複数の突起部を設けたことにより、身体に対して突起部が身体を押圧することによる物理的な刺激を与えることができるので、マイナスイオン効果と遠赤外線効果に加えて、指圧効果を奏することができる。
【００１５】
請求項３に記載した温熱放射線浴用陶板によれば、請求項１または２に記載した温熱放射線浴用陶板の効果に加えて、複数の突起部の突出高さに高低差を設けたことにより、身体を強弱を付けて押圧することができるので、指圧効果をより向上させることができる。
【００１６】
請求項４に記載した温熱放射線浴用陶板によれば、請求項１から３の何れかに記載の温浴放射線浴用陶板の効果に加えて、セラミック原料中に、ラジウムと、ゲルマニウムと、ジルコニウムとを含有することにより、マイナスイオン放射性能をより向上させることができる。
【００１７】
請求項５に記載した温熱放射線浴用陶板によれば、請求項１から３の何れかに記載の温熱放射線浴用陶板の効果に加えて、炭粉末に炭化率９０％以上、比表面積１７００ｃｍ2／ｇ以上の椰子殻活性炭粒子を採用することにより、プラスイオン吸着作用と遠赤外線作用とをより優れたものとすることができる。
【００１８】
請求項６に記載した温熱放射線浴用陶板設置ケースによれば、施設の床面や寝台に予め敷設しておき、これに温熱放射線浴用陶板を収容できるようにすることによって、例えば施設の移設や改装の際において温熱放射線浴用陶板を破損することなく容易に取り出せて、再使用することが可能となるので、施設の移設や改装等におけるコスト低減に貢献することができる。
【考案を実施するための最良の形態】
【００１９】
本考案に係る温熱放射線浴用陶板（以下、便宜上単に「陶板」という）は、セラミック原料に炭粉末を混練し、板状に成形して焼成することによって作製される。
【００２０】
セラミック原料は、特に限定されるものではないが、例えば、第二酸化鉄、酸化アルミニウム、酸化マグネシウム、酸化カルシウム、酸化チタン等の金属酸化物や、蛇絞石（マグネシウムの含水ケイ酸塩鉱物）、絹雲母、電気石（トルマリン）、ゼオライト、セリライト、水晶、医王石、メノウ、サファイア等の天然鉱物を単独若しくは複数組み合わせて用いたり、あるいはこれらを粘土類、珪土類、長石類等の陶土と組み合わせて用いることができる。また、セラミック原料中には、ラジウム、ジルコニウム及びゲルマニウムを含有させることが特に好ましい。これらの天然鉱石はマイナスイオン放射性能に特に優れるためである。
【００２１】
炭粉末は、特に限定されるものではなく、例えば、木炭、竹炭、カーボン等の粉末を用いることができ、特には、プラスイオン吸着作用と遠赤外線放射性能に優れる炭化率９０％以上、比表面積１７００ｍ2／ｇ以上の椰子殻活性炭粉末を用いることが好ましい。
【００２２】
セラミック原料と、炭粉末との配合比は特には限定されるものではなく、製品に応じて適宜設定することができるが、セラミック原料１００重量部に対して炭粉末を１〜１００重量部配合することが好ましい。炭粉末が１重量部より少ないとプラスイオン吸着作用を十分に奏することができず、１００重量部より多くしても特に有利な効果を奏しないからである。
【００２３】
本考案に係る陶板は、上記のセラミック原料と炭粉末とを混練し、焼成して作製されるものであるが、その形状は特に限定されるものではなく、円形、楕円形、三角形、四角形、五角形、六角形等、接触させる身体の部位や接触面積の大きさ等により適宜設定することができる。
【００２４】
さらに、本考案に係る陶板の平面上に複数の突起部を設けてもよい。突起部は、陶板上に身体を横たえたときに、身体の重みによって身体を押圧する機能を有するものである。従って、突起部は押圧機能を有するように形成されるものであればよく、その形状や大きさ、突出高さ、配置する数等は特に限定されるものではないが、突出高さは２〜２０ｍｍの範囲で設定することが好ましい。突出高さが２ｍｍ以下であると、十分な押圧力が得られず、２０ｍｍ以上であると押圧力が強すぎてしまうからである。また、突起部は、陶板と一体に成形して設けてもよいし、陶板とは別体に作製して、陶板に後付けして設けてもよい。また陶板と別体で作製する場合には、金属やプラスチック、ゴム等の陶板の材料とは異なる材料から作製してもよい。
【００２５】
また、本考案に係る温熱放射線用陶板の設置ケース（以下、便宜上単に「設置ケース」という）は、陶板を予め設置しようとする床面等の場所に予め埋設しておき、これに陶板を収容することによって、陶板の着脱を自在に行えるようにするものである。設置ケースは底面部と、この底面部の周縁より垂設される周壁部とを備え、その内部には陶板が収容される収容部が形成される。収容部の形状及び大きさは、収容しようとする陶板の形状及び大きさに応じて設定すればよく、特に限定されるものではない。また、材質についても特に限定されるものではなく、例えば、アルミやステンレス等の金属や、プラスチック等の樹脂により作製することができる。
【００２６】
以下に、本考案の実施例を図に基づいて説明する。
【実施例１】
【００２７】
図１には、実施例１に係る陶板１００が示されている。この陶板１００は、ラジウム、ジルコニウム、ゲルマニウムを含むセラミック原料１００重量部と、椰子殻活性炭粉末１０重量部が混練されて直径２００ｍｍ、厚さ１０ｍｍの円盤状に成形され、１３００℃で焼成して作製されたものである。
【００２８】
このように、セラミック原料に椰子殻活性炭粉末を加えることによって、陶板１００がマイナスイオンを放射すると同時に、空気中に過剰に存在するプラスイオンを吸着することができるようになるので、空気中の正負のイオンバランスの均衡を図ることができるようになり、温熱放射線浴に適した環境を作り出すことができるようになる。
【実施例２】
【００２９】
図２〜４には、実施例２に係る陶板１００が示されている。実施例２に係る陶板１００は、実施例１に係る陶板１００と同様にラジウム、ジルコニウム、ゲルマニウムを含むセラミック原料１００重量部と椰子殻活性炭粉末１０重量部とを混練して円盤状に成形し、１３００℃にて焼成したものであるが、平面上に突起部１２０を複数個備える点において実施例１と相違している。従って、ここでは主に実施例１との相違点である突起部の構成について説明する。
【００３０】
陶板１００は、陶板本体１１０と突起部１２０とを備えている。陶板本体１１０は、直径２００ｍｍ、厚さ１０ｍｍの円盤状に成形されている。そして、突起部１１０は、陶板１００の成型時に陶板本体１１０と一体に形成され、かつ陶板本体１１０の平面１1０ａから５ｍｍの突出高さを有して略半球状に形成されている。
【００３１】
このように、陶板本体１１０に、突起部１２０を設けることにより、陶板１００に指圧機能を付加することができる。すなわち、陶板１００上に身体を横たえたときに、身体が突起部１２０により押圧され、身体に刺激を与えることができるようになるのである。
【実施例３】
【００３２】
図５〜７には、実施例３に係る陶板１００が示されている。実施例３に係る陶板１００は、実施例２と同様にして作製されるものであり、陶板本体１１０と突起部１２０とを備える。しかし、陶板本体１１０を矩形に形成した点及び突出高さが異なる大小２種類の突起部１２０を複数設けた点において相違している。従って、ここでは主に実施例２との相違点である突起部１２０の構成について説明する。
【００３３】
陶板本体１１０は、縦幅１５０ｍｍ、横幅２００ｍｍ、厚さ１０ｍｍの矩形の板状に形成されている。そして、陶板本体１１０の平面１１０ａ上には、大突起部１２０ａと、小突起部１２０ｂとが、陶板本体１１０の横幅方向に対して交互に複数設けられている。大突起部１２０ａ及び小突起部１２０ｂは、いずれも陶板本体１１０と一体に、略半球状に形成されている。大突起部１２０ａ及び小突起部１２０ｂの陶板本体１１０の平面１１０ａからの突出高さは、それぞれ５ｍｍ、２ｍｍである。
【００３４】
このように、突起部１２０を大突起部１２０ａと小突起部１２０ｂとから構成することにより、強弱をつけて身体を押圧することができるので、指圧効果をより高めることができる。
【００３５】
尚、陶板１００は、大きさ、形状及び突起部の配置数、位置等は自由に設定することができ、例えば、図８に示すように陶板本体１１０を六角形に形成し、これに突起部１２０を複数設けてもよい。
【００３６】
次に、陶板１００の設置方法について説明する。ここで説明する設置方法は、上記実施例１から３に係る陶板１００のいずれにも適用されるものである。
【００３７】
図９には、陶板１００の第一の設置方法を説明する図が示されている。第一の設置方法は、陶板１００を設置しようとする場所に陶板１００を直接埋設し固定するものである。図９では、寝台Ｂ上に身体を横たえたときに、身体の頭部、腰部及び脚部が接触する位置に、陶板１００が埋設されている。
【００３８】
図１０には、陶板１００の第二の設置方法を説明する図が示されている。第二の設置方法は、第一の設置方法が陶板１００を設置場所に直接埋設して固定するのと異なり、設置ケースを使用して設置する方法である。
【００３９】
図１１には、設置ケース２００が示されている。この設置ケース２００は、底面部２１０と、底面部２１０の周縁から垂設される周壁部２２０とからなっており、上面は開口した状態となっている。そして、その内部は陶板１００が収容される収容部となっており、図１２に示されているように、陶板１００はこの収容部２３０に嵌め込まれて収容される。
【００４０】
この設置ケース２００を用いて陶板１００の設置を行う。すなわち、図１０に示されているように、まず、陶板１００を設置しようとする場所（図１０では寝台Ｂの上面）に、設置ケース２００を埋設して固定する。そして、固定された設置ケース２００の収容部２３０に、陶板１００を嵌め込むことにより、陶板１００が設置されるのである。このように、設置ケース２００を使用して陶板１００を設置することにより、陶板１００の着脱を自在に行うことができるようになるので、例えば、施設を移設したり改装したりする場合であっても陶板を簡単に取り外すことができる。
【図面の簡単な説明】
【００４１】
【図１】実施例１に係る温熱放射線浴用陶板の斜視図である。
【図２】実施例２に係る温熱放射線浴用陶板の斜視図である。
【図３】実施例２に係る温熱放射線浴用陶板の平面図である。
【図４】実施例２に係る温熱放射線浴用陶板の正面図である。
【図５】実施例３に係る温熱放射線浴用陶板の斜視図である。
【図６】実施例３に係る温熱放射線浴用陶板の平面図である。
【図７】実施例３に係る温熱放射線浴用陶板の正面図である。
【図８】実施例３に係る温熱放射線浴用陶板の他の実施形態を示す斜視図である。
【図９】実施例１から３に係る温熱放射線浴用陶板の第一の設置方法を説明する図である。
【図１０】実施例１から３に係る温熱放射線浴用陶板の第二の設置方法を説明する図である。
【図１１】温熱放射線浴用陶板の設置ケースの斜視図である。
【図１２】設置ケースに温熱放射線浴用陶板が収容される状態を示す斜視図である。
【図１３】温熱放射線浴の実施方法を説明する模式図である。
【符号の説明】
【００４２】
１００  温熱放射線浴用陶板
１１０  陶板本体
１２０  突起部
２００  設置ケース
２１０  底面部
２２０  周壁部
２３０  収容部
【図１】
0003120715.tif 000003
【図２】
0003120715.tif 000004
【図３】
0003120715.tif 000005
【図４】
0003120715.tif 000006
【図５】
0003120715.tif 000007
【図６】
0003120715.tif 000008
【図７】
0003120715.tif 000009
【図８】
0003120715.tif 000010
【図９】
0003120715.tif 000011
【図１０】
0003120715.tif 000012
【図１１】
0003120715.tif 000013
【図１２】
0003120715.tif 000014
【図１３】
0003120715.tif 000015